(57)【要約】【課題】モニタ画面を大きくしてモニタ部の表示画像を見やすくした固定モニタ型のデジタルカメラを提供する。【解決手段】表示エリアを囲む外周部のうち、表示エリアの上縁側の部分に外方に突出する張出し部２２ａが設けられ、この張出し部２２ａの所定の部分に透明部２２ｂが形成され、他の部分に表示駆動素子が搭載された液晶表示パネル２１を備えた画像表示装置２０を、カメラ本体１内に、液晶表示パネル２１の張出し部２２ａのうち、表示駆動素子の搭載部分をファインダ接眼窓５の側方のスペースに対応させ、透明部２２ｂをファインダ接眼窓５に対向させて配置した。【選択図】図３
2006013865.tif 000002
【特許請求の範囲】
【請求項１】
モニタ部と光学ファインダを有するデジタルカメラ内に実装される画像表示装置において、
複数の画素がマトリックス状に配列した表示エリアを有し、前記表示エリアを囲む外周部の少なくとも一側に外方に突出する張出し部が設けられ、この張出し部の所定の部分に透明部または切欠部が形成され、前記張出し部の他の部分に表示駆動素子が搭載された表示パネルを備え、前記デジタルカメラ内に、前記表示パネルの前記張出し部のうち、前記表示駆動素子の搭載部分を前記デジタルカメラの光学ファインダ部の側方のスペースに対応させ、前記透明部または切欠部を前記光学ファインダ部に対応させて実装されることを特徴とするデジタルカメラ用画像表示装置。
【請求項２】
一方の面に表示パネルの表示エリアに対応する表示用開口が設けられ、前記一方の面と他方の面に前記表示パネルの張出し部に形成された透明部または切欠部に対応するファインダ用開口が設けられたパネルケースを備え、このパネルケース内に前記表示パネルを収容したことを特徴とする請求項１に記載のデジタルカメラ用画像表示装置。
【請求項３】
表示パネルは、表示エリアを囲む枠状シール材を介して接合された一対の透明基板の互いに対向する内面にそれぞれ前記表示エリア内にマトリックス状に配列する複数の画素を形成する電極が形成され、これらの基板間の前記シール材で囲まれた領域に液晶層が設けられるとともに、一方の基板の少なくとも一側に、他方の基板の外方に突出する張出し部が形成され、この張出し部の所定の部分に透明部または切欠部が形成され、前記張出し部の他の部分に表示駆動素子が搭載された液晶表示パネルであることを特徴とする請求項１または２に記載のデジタルカメラ用画像表示装置。
【請求項４】
前面側に撮像レンズを備え、前後面の上端付近にファインダ対物窓とファインダ接眼窓が設けられ、後面にモニタ窓が設けられたカメラ本体内に、前記撮像レンズの後端に対向させて配置された固体撮像素子と、一端を前記ファインダ対物窓に対向させ、他端を前記ファインダ接眼窓に対向させて配置されたファインダ光学系とが設けられるとともに、
前記カメラ本体内の前記固体撮像素子よりも後側のスペースに、複数の画素がマトリックス状に配列した表示エリアを有し、前記表示エリアを囲む外周部の少なくとも一側に外方に突出する張出し部が設けられ、この張出し部の所定の部分に透明部または切欠部が形成され、前記張出し部の他の部分に表示駆動素子が搭載された表示パネルを備えた画像表示装置が、前記表示パネルの表示エリアを前記モニタ窓に対向させ、前記表示パネルの前記張出し部のうち、前記表示駆動素子の搭載部分を前記ファインダ接眼窓の側方のスペースに対応させ、前記透明部または切欠部を前記ファインダ接眼窓に対向させて配置されていることを特徴とするデジタルカメラ。
【請求項５】
画像表示装置は、表示パネルと、内部に前記表示パネルを収容し、且つ一方の面に前記表示パネルの表示エリアに対応する表示用開口が設けられ、前記一方の面と他方の面に前記表示パネルの張出し部に形成された透明部または切欠部に対応するファインダ用開口が設けられたパネルケースとからなっていることを特徴とする請求項４に記載のデジタルカメラ。
【請求項６】
画像表示装置は、カメラ本体内に、固体撮像素子の配置側に対向するケース面のファインダ用開口にファインダ光学系の接眼窓対向端を入り込ませて配置されていることを特徴とする請求項５に記載のデジタルカメラ。
【請求項７】
画像表示装置は、張出し部の所定部分に透明部が形成された表示パネルを備えており、カメラ本体内に、前記表示パネルの前記透明部をファインダ光学系の接眼窓対向端に近接または当接させて配置されていることを特徴とする請求項４または６に記載のデジタルカメラ。
【請求項８】
画像表示装置の表示パネルは、表示エリアを囲む枠状シール材を介して接合された一対の透明基板の対向面にそれぞれ前記表示エリア内にマトリックス状に配列する複数の画素を形成する電極が形成され、これらの基板間の前記シール材で囲まれた領域に液晶層が設けられるとともに、一方の基板の少なくとも一側に、他方の基板の外方に突出する張出し部が形成され、この張出し部の所定の部分に透明部または切欠部が形成され、前記張出し部の他の部分に表示駆動素子が搭載された液晶表示パネルであり、前記画像表示装置は、前記液晶表示パネルの前記張出し部が形成された一方の基板をカメラ本体の後面側に向け、他方の基板を固体撮像素子の配置側に向けて配置されていることを特徴とする請求項７に記載のデジタルカメラ。
【請求項９】
画像表示装置は、一方の基板の張出し部の所定部分に切欠部が形成された表示パネルを備えており、カメラ本体内に、前記表示パネルの前記切欠部にファインダ光学系の接眼窓対向端を入り込ませて配置されていることを特徴とする請求項４または６に記載のデジタルカメラ。
【請求項１０】
カメラ本体の後面のファインダ接眼窓は、前記カメラ本体の後面に設けられたモニタ窓に連通させて形成されており、前記モニタ窓及びファインダ接眼窓に、連続した１枚の透明板からなり、前記モニタ窓に対応する部分に前記モニタ窓の内周縁に沿った枠状の遮光マスクが形成されたカバー板が嵌着されるとともに、前記ファインダ接眼窓の外側に、このファインダ接眼窓を囲む窓枠部材が設けられていることを特徴とする請求項４に記載のデジタルカメラ。
【請求項１１】
モニタ窓は、そのファインダ接眼窓側の縁部を前記ファインダ接眼窓の前記モニタ窓側の縁部の延長線に略一致させて形成されており、前記ファインダ接眼窓の外側に、前記モニタ窓側の縁部がカバー板の遮光マスク部の幅内に対向する外形の窓枠部材が設けられていることを特徴とする請求項１０に記載のデジタルカメラ。
【発明の詳細な説明】
【技術分野】
【０００１】
この発明は、モニタ部と光学ファインダを有するデジタルカメラ内に実装される画像表示装置及びその画像表示装置を備えたデジタルカメラに関する。
【背景技術】
【０００２】
デジタルカメラは、撮像レンズを備えたカメラ本体内に前記撮像レンズの後端に対向させて固体撮像素子を配置したものであり、ほとんどのデジタルカメラは、モニタ画像を表示するモニタ部と光学ファインダを有している。
【０００３】
前記光学ファインダは、カメラ本体の前後面に設けられたファインダ対物窓及び接眼窓と、前記カメラ本体内に一端を前記対物窓に対向させ、他端を前記接眼窓に対向させて配置されたファインダ光学系とにより構成されており、この光学ファインダは、その覗き見やすさを考慮してカメラ本体の上端付近に設けられている。
【０００４】
また、モニタ部は、複数の画素がマトリックス状に配列した表示エリアを有し、前記表示エリアを囲む外周部のうち、前記表示エリアの上縁側または下縁側の部分に外方に突出する張出し部が設けられ、この張出し部に表示駆動素子が搭載された液晶表示パネル等の表示パネルを備えた画像表示装置により形成されている。
【０００５】
前記デジタルカメラには、固定モニタ型のものと、可動モニタ型のものとがあり、固定モニタ型のデジタルカメラは、カメラ本体の後面の光学ファインダ接眼窓よりも下側の部分にモニタ窓を設け、前記カメラ本体内の光学ファインダ部の下側のスペースに、前記画像表示装置を、その表示パネルの表示エリアを前記モニタ窓に対向させて配置した構成となっている（特許文献１参照）。
【０００６】
また、可動モニタ型のデジタルカメラは、カメラ本体の後面の外側に前記画像表示装置を上下方向スライド可能に設け、光学ファインダを使用しないときは、前記画像表示装置をその上端部により光学ファインダを覆うようにカメラ本体の高さ内にスライドさせ、光学ファインダを使用するときに、前記画像表示装置をその下端部をカメラ本体の下方に突出させた状態にスライドさせて前記光学ファインダを露出させるようにした構成となっている（特許文献２参照）。
【特許文献１】特開平１１―１６０７８７号公報
【特許文献２】特開平１０―１９１１１４号公報
【発明の開示】
【発明が解決しようとする課題】
【０００７】
ところで、デジタルカメラにおいては、モニタ部の表示画像を見やすくするために、モニタ画面を大きくすることが望まれている。
【０００８】
しかし、上述したように、表示エリアを囲む外周部のうち、前記表示エリアの上縁側または下縁側の部分に外方に突出する張出し部を設け、この張出し部に表示駆動素子を搭載した表示パネルは、前記張出し部を含む上下方向のパネル外寸に比べて、前記表示エリアの縦幅（表示エリアの上下縁間の幅）がかなり小さい。
【０００９】
そして、前記表示パネルを備えた画像表示装置全体を光学ファインダ部の下側に配置した従来の固定モニタ型デジタルカメラでは、前記表示パネルの前記張出し部を含む上下方向のパネル外寸が、カメラ本体内の前記光学ファインダ部の下側のスペースに収まる寸法に制限されるため、モニタ画面を大きくすることが難しい。
【００１０】
一方、カメラ本体の後面の外側に画像表示装置を上下方向スライド可能に設け、光学ファインダを使用するときに前記画像表示装置を下方にスライドさせて前記光学ファインダを露出させるようにした可動モニタ型のデジタルカメラは、前記画像表示装置の外形をカメラ本体の後面の面積内に収まる範囲で大きくすることができ、したがって、前記固定モニタ型デジタルカメラに比べて大きい表示パネルを用い、モニタ画面を大きくすることができる。
【００１１】
しかし、この可動モニタ型のデジタルカメラは、カメラ本体の後面の外側に画像表示装置をスライド可能に設けたものであるため、構造が複雑で、コスト高であるだけでなく、光学ファインダの使用、不使用時に応じて画像表示装置をスライドさせなければならないため、使用も面倒である。
【００１２】
この発明は、固定モニタ型デジタルカメラのモニタ画面を大きくすることができるデジタルカメラ用画像表示装置を提供するとともに、モニタ画面を大きくしてモニタ部の表示画像を見やすくした固定モニタ型のデジタルカメラを提供することを目的としたものである。
【課題を解決するための手段】
【００１３】
この発明のデジタルカメラ用画像表示装置は、複数の画素がマトリックス状に配列した表示エリアを有し、前記表示エリアを囲む外周部の少なくとも一側に外方に突出する張出し部が設けられ、この張出し部の所定の部分に透明部または切欠部が形成され、前記張出し部の他の部分に表示駆動素子が搭載された表示パネルを備え、前記デジタルカメラ内に、前記表示パネルの前記張出し部のうち、前記表示駆動素子の搭載部分を前記デジタルカメラの光学ファインダ部の側方のスペースに対応させ、前記透明部または切欠部を前記光学ファインダ部に対応させて実装されることを特徴とする。
【００１４】
このデジタルカメラ用画像表示装置は、一方の面に前記表示パネルの表示エリアに対応する表示用開口が設けられ、前記一方の面と他方の面に前記表示パネルの張出し部に形成された透明部または切欠部に対応するファインダ用開口が設けられたパネルケースを備え、このパネルケース内に前記表示パネルを収容した構成のものが望ましい。
【００１５】
このデジタルカメラ用画像表示装置において、前記表示パネルは、例えば、表示エリアを囲む枠状シール材を介して接合された一対の透明基板の互いに対向する内面にそれぞれ前記表示エリア内にマトリックス状に配列する複数の画素を形成する電極が形成され、これらの基板間の前記シール材で囲まれた領域に液晶層が設けられるとともに、一方の基板の少なくとも一側に、他方の基板の外方に突出する張出し部が形成され、この張出し部の所定の部分に透明部または切欠部が形成され、前記張出し部の他の部分に表示駆動素子が搭載された液晶表示パネルでよい。
【００１６】
また、この発明のデジタルカメラは、前面側に撮像レンズを備え、前後面の上端付近にファインダ対物窓とファインダ接眼窓が設けられ、後面にモニタ窓が設けられたカメラ本体内に、前記撮像レンズの後端に対向させて配置された固体撮像素子と、一端を前記ファインダ対物窓に対向させ、他端を前記ファインダ接眼窓に対向させて配置されたファインダ光学系とが設けられるとともに、前記カメラ本体内の前記固体撮像素子よりも後側のスペースに、複数の画素がマトリックス状に配列した表示エリアを有し、前記表示エリアを囲む外周部の少なくとも一側に外方に突出する張出し部が設けられ、この張出し部の所定の部分に透明部または切欠部が形成され、前記張出し部の他の部分に表示駆動素子が搭載された表示パネルを備えた画像表示装置が、前記表示パネルの表示エリアを前記モニタ窓に対向させ、前記表示パネルの前記張出し部のうち、前記表示駆動素子の搭載部分を前記ファインダ接眼窓の側方のスペースに対応させ、前記透明部または切欠部を前記ファインダ接眼窓に対向させて配置されていることを特徴とする。
【００１７】
このデジタルカメラにおいては、前記画像表示装置を、前記表示パネルと、内部に前記表示パネルを収容し、且つ一方の面に前記表示パネルの表示エリアに対応する表示用開口が設けられ、前記一方の面と他方の面に前記表示パネルの張出し部に形成された透明部または切欠部に対応するファインダ用開口が設けられたパネルケースとにより構成するのが望ましい。
【００１８】
その場合は、前記画像表示装置を、前記カメラ本体内に、前記固体撮像素子の配置側に対向するケース面のファインダ用開口に前記ファインダ光学系の接眼窓対向端を入り込ませて配置するのが好ましい。
【００１９】
また、このデジタルカメラにおいて、前記画像表示装置に、前記張出し部の所定部分に前記透明部を形成した表示パネルを備えさせるときは、この画像表示装置を、前記カメラ本体内に、前記表示パネルの前記透明部を前記ファインダ光学系の接眼窓対向端に近接または当接させて配置するのが望ましい。
【００２０】
その場合、前記画像表示装置の表示パネルを、表示エリアを囲む枠状シール材を介して接合された一対の透明基板の対向面にそれぞれ前記表示エリア内にマトリックス状に配列する複数の画素を形成する電極が形成され、これらの基板間の前記シール材で囲まれた領域に液晶層が設けられるとともに、一方の基板の一方の基板の少なくとも一側に、他方の基板の外方に突出する張出し部が形成され、この張出し部の所定の部分に透明部または切欠部が形成され、前記張出し部の他の部分に表示駆動素子が搭載された液晶表示パネルとするときは、前記画像表示装置を、前記液晶表示パネルの前記張出し部が形成された一方の基板をカメラ本体の後面側に向け、他方の基板を固体撮像素子の配置側に向けて配置するのが好ましい。
【００２１】
また、このデジタルカメラにおいて、前記画像表示装置に、前記張出し部の所定部分に前記切欠部を形成した表示パネルを備えさせるときは、前記画像表示装置を、前記カメラ本体内に、前記表示パネルの前記切欠部にファインダ光学系の接眼窓対向端を入り込ませて配置するのが好ましい。
【００２２】
さらに、このデジタルカメラにおいては、前記カメラ本体の後面のファインダ接眼窓を、前記カメラ本体の後面に設けたモニタ窓に連通させて形成し、前記モニタ窓及びファインダ接眼窓に、連続した１枚の透明板からなり、前記モニタ窓に対応する部分に前記モニタ窓の内周縁に沿った枠状の遮光マスクが形成されたカバー板を嵌着するとともに、前記ファインダ接眼窓の外側に、このファインダ接眼窓を囲む窓枠部材を設けるのが望ましい。
【００２３】
その場合は、前記モニタ窓を、そのファインダ接眼窓側の縁部を前記ファインダ接眼窓の前記モニタ窓側の縁部の延長線に略一致させて形成し、前記ファインダ接眼窓の外側に、前記モニタ窓側の縁部が前記カバー板の遮光マスク部の幅内に対向する外形の窓枠部材を設けるのが好ましい。
【発明の効果】
【００２４】
この発明のデジタルカメラ用画像表示装置は、表示エリアを囲む外周部の少なくとも一側に外方に突出する張出し部を設け、この張出し部の所定の部分に透明部または切欠部を形成し、前記張出し部の他の部分に表示駆動素子を搭載した表示パネルを備えたものであるため、デジタルカメラ内に、前記表示パネルの張出し部のうち、前記表示駆動素子の搭載部分を前記デジタルカメラの光学ファインダ部の側方のスペースに対応させ、前記透明部または切欠部を前記光学ファインダ部に対応させて実装することができ、したがって、固定モニタ型デジタルカメラのモニタ画面を大きくすることができる。
【００２５】
このデジタルカメラ用画像表示装置は、一方の面に前記表示パネルの表示エリアに対応する表示用開口が設けられ、前記一方の面と他方の面に前記表示パネルの張出し部に形成された透明部または切欠部に対応するファインダ用開口が設けられたパネルケースを備え、このパネルケース内に前記表示パネルを収容した構成のものが望ましく、このようにすることにより、デジタルカメラ内への画像表示装置の実装を容易にすることができる。
【００２６】
このデジタルカメラ用画像表示装置において、前記表示パネルは、例えば、表示エリアを囲む枠状シール材を介して接合された一対の透明基板の互いに対向する内面にそれぞれ前記表示エリア内にマトリックス状に配列する複数の画素を形成する電極が形成され、これらの基板間の前記シール材で囲まれた領域に液晶層が設けられるとともに、一方の基板の少なくとも一側に、他方の基板の外方に突出する張出し部が形成され、この張出し部の所定の部分に透明部または切欠部が形成され、前記張出し部の他の部分に表示駆動素子が搭載された液晶表示パネルでよく、このような液晶表示パネルを備えることにより、固定モニタ型デジタルカメラのモニタ画面を大きくすることができる。
【００２７】
また、この発明のデジタルカメラは、前面側に撮像レンズを備え、前後面の上端付近にファインダ対物窓とファインダ接眼窓が設けられ、後面にモニタ窓が設けられたカメラ本体内に、前記撮像レンズの後端に対向させて配置された固体撮像素子と、一端を前記ファインダ対物窓に対向させ、他端を前記ファインダ接眼窓に対向させて配置されたファインダ光学系とを設けるとともに、前記カメラ本体内の前記固体撮像素子よりも後側のスペースに、表示エリアを囲む外周部の少なくとも一側に外方に突出する張出し部を設け、この張出し部の所定の部分に透明部または切欠部を形成し、前記張出し部の他の部分に表示駆動素子を搭載した表示パネルを備えた画像表示装置を、前記表示パネルの表示エリアを前記モニタ窓に対向させ、前記表示パネルの前記張出し部のうち、前記表示駆動素子の搭載部分を前記ファインダ接眼窓の側方のスペースに対応させ、前記透明部または切欠部を前記ファインダ接眼窓に対向させて配置したものであるため、モニタ画面を大きくし、モニタ部の表示画像を見やすくすることができる。
【００２８】
このデジタルカメラにおいては、前記画像表示装置を、前記表示パネルと、内部に前記表示パネルを収容し、且つ一方の面に前記表示パネルの表示エリアに対応する表示用開口が設けられ、前記一方の面と他方の面に前記表示パネルの張出し部に形成された透明部または切欠部に対応するファインダ用開口が設けられたパネルケースとにより構成するのが望ましく、このようにすることにより、前記カメラ本体内への前記画像表示装置の実装を容易にすることができる。
【００２９】
その場合は、前記画像表示装置を、前記カメラ本体内に、前記固体撮像素子の配置側に対向するケース面のファインダ用開口に前記ファインダ光学系の接眼窓対向端を入り込ませて配置するのが望ましく、このようにすることにより、前記パネルケース内に表示パネルを収容した画像表示装置を備えたものでありながら、デジタルカメラの前後面間の厚さを薄くすることができる。
【００３０】
また、このデジタルカメラにおいて、前記画像表示装置に、前記張出し部の所定部分に前記透明部を形成した表示パネルを備えさせるときは、この画像表示装置を、前記カメラ本体内に、前記表示パネルの前記透明部を前記ファインダ光学系の接眼窓対向端に近接または当接させて配置するのが望ましく、このようにすることにより、デジタルカメラの前後面間の厚さを薄くすることができる。
【００３１】
その場合、前記画像表示装置の表示パネルを、表示エリアを囲む枠状シール材を介して接合された一対の透明基板の対向面にそれぞれ前記表示エリア内にマトリックス状に配列する複数の画素を形成する電極が形成され、これらの基板間の前記シール材で囲まれた領域に液晶層が設けられるとともに、一方の基板の少なくとも一側に、他方の基板の外方に突出する張出し部が形成され、この張出し部の所定の部分に透明部または切欠部が形成され、前記張出し部の他の部分に表示駆動素子が搭載された液晶表示パネルとするときは、前記画像表示装置を、前記液晶表示パネルの前記張出し部が形成された一方の基板をカメラ本体の後面側に向け、他方の基板を固体撮像素子の配置側に向けて配置するのが好ましく、このようにすることにより、デジタルカメラの前後面間の厚さをより薄くすることができる。
【００３２】
また、このデジタルカメラにおいて、前記画像表示装置に、前記張出し部の所定部分に前記切欠部を形成した表示パネルを備えさせるときは、前記画像表示装置を、前記カメラ本体内に、前記表示パネルの前記切欠部にファインダ光学系の接眼窓対向端を入り込ませて配置するのが好ましく、このようにすることにより、デジタルカメラの前後面間の厚さをさらに薄くすることができる。
【００３３】
さらに、このデジタルカメラにおいては、前記カメラ本体の後面のファインダ接眼窓を、前記カメラ本体の後面に設けたモニタ窓に連通させて形成し、前記モニタ窓及びファインダ接眼窓に、連続した１枚の透明板からなり、前記モニタ窓に対応する部分に前記モニタ窓の内周縁に沿った枠状の遮光マスクが形成されたカバー板を嵌着するとともに、前記ファインダ接眼窓の外側に、このファインダ接眼窓を囲む窓枠部材を設けるのが望ましく、このようにすることにより、前記モニタ窓及びファインダ接眼窓へのカバー板の嵌着を１工程で容易に行なうことができるとともに、前記ファインダ接眼窓及びモニタ窓の外観をそれぞれ、前記窓枠部材及び前記カバー板の遮光マスク部により囲まれた良好なデザインにすることができる。
【００３４】
その場合は、前記モニタ窓を、そのファインダ接眼窓側の縁部を前記ファインダ接眼窓の前記モニタ窓側の縁部の延長線に略一致させて形成し、前記ファインダ接眼窓の外側に、前記モニタ窓側の縁部が前記カバー板の遮光マスク部の幅内に対向する外形の窓枠部材を設けるのが好ましく、このようにすることにより、デジタルカメラの高さを小さくするか、あるいは前記モニタ窓及び前記画像表示装置の表示パネルを大きくしてモニタ画面をさらに大きくするとともに、前記モニタ窓内に、前記ファインダ接眼窓の窓枠部材による欠け落ちの無い良好な画像を表示することができる。
【発明を実施するための最良の形態】
【００３５】
図１〜図８はこの発明の第１の実施例を示しており、図１及び図２はデジタルカメラの前面図及び後面図、図３は図１のIII―III線に沿った拡大断面図である。
【００３６】
このデジタルカメラは、撮像レンズ格納型のものであり、図１〜図３に示したように、左右方向の幅が８７ｍｍ、高さが５７ｍｍ、前後面間の厚さが２３ｍｍの矩形状ケースからなるカメラ本体１の前面側に、非撮像時はカメラ本体１内に引き込み格納され、撮像時にカメラ本体１の前面から前方に突出される撮像レンズ２が設けられている。
【００３７】
前記撮像レンズ２はズーミングレンズであり、その構造は図示しないが、カメラ本体１内に設けられた固定鏡胴と、この固定鏡胴内にカメラ本体１の前方に出没可能に設けられた可動鏡胴とを備え、これらの鏡胴内に複数枚の固定レンズ素子及び可動レンズ素子を配置した構成となっている。
【００３８】
また、前記カメラ本体１の前後面の上端付近にはファインダ対物窓３とファインダ接眼窓５が設けられており、このカメラ本体１の後面の前記ファインダ接眼窓５の下側の部分にモニタ窓８が設けられている。
【００３９】
なお、前記ファインダ対物窓３及びファインダ接眼窓５とモニタ窓８にはそれぞれ透明板からなるカバー板４，６，９が嵌着されており、これらのカバー板４，６，９のうち、対物窓カバー板４には、ファインダ画面の外形を規定する遮光マスク４ａが形成され、モニタ窓カバー板９には、モニタ画面の外形を規定する遮光マスク９ａが、前記モニタ窓８の内周縁に沿った枠状に形成されている。
【００４０】
また、前記ファインダ接眼窓５の外側には、このファインダ接眼窓５を囲む窓枠部材７が設けられている。
【００４１】
さらに、前記カメラ本体１には、その前面の上端付近にストロボ発光部１１が設けられ、後面のモニタ窓８の側方にモード切替キー１２が設けられ、上面にシャッタボタン１３が設けられている。
【００４２】
また、図では省略しているが、前記カメラ本体１には、その前後面及び上面のいずれかに、電源キー、前記撮像レンズ２のズーミングキー等が設けられるとともに、下面に、メモリカード等のメモリスロット、パソコン等の外部機器に接続するためのシリアルインタフェースコネクタ等が設けられている。
【００４３】
そして、前記カメラ本体１内には、前記撮像レンズ２の後端に対向させて固体撮像素子１４が配置されるとともに、このカメラ本体１内の上端部に、一端を前記ファインダ対物窓３に対向させ、他端を前記ファインダ接眼窓５に対向させて配置されたファインダ光学系１５が設けられている。
【００４４】
前記ファインダ光学系１５は、前記撮像レンズ２のズーミングに連動するズーミング機能を有しており、その構造は図示しないが、一端が前記ファインダ対物窓３に対向し、他端が前記ファインダ接眼窓５に対向する屈曲した鏡胴内の前記ファインダ対物窓３に対向する端部に対物レンズ素子を設け、前記ファインダ接眼窓５対向する端部に接眼レンズ素子１６をその端部から外方に突出させて設けるとともに、前記鏡胴内にズーミング用可動レンズ素子と、前記対物窓対向端からの入射光を屈折させて前記接眼窓対向端に導くミラーまたはプリズム素子を設けた構成となっている。
【００４５】
そして、このファインダ光学系１５は、カメラ本体１内の上端部に、その一端を前記ファインダ対物窓３に近接対向させ、他端の接眼レンズ素子１６を前記ファインダ接眼窓５に所定の間隔を存して対向させて配置されている。
【００４６】
また、前記カメラ本体１内の前記固体撮像素子１４よりも後側のスペースには、その後面の前記モニタ窓８に対向させて、モニタ画像を表示する画像表示装置２０が配置されている。
【００４７】
図４及び図５は前記画像表示装置２０の正面図及び背面図、図６は前記画像表示装置２０の拡大断面図であり、この画像表示装置２０は、複数の画素がマトリックス状に配列した表示エリア２１ａを有する液晶表示パネル２１と、この液晶表示パネル２１を収容したパネルケース３８とからなっている。
【００４８】
図７及び図８は前記液晶表示パネル２１の正面図及び一部分の拡大断面図であり、この液晶表示パネル２１は、その表示エリア２１ａを囲む枠状シール材２４を介して接合された一対の透明基板２２，２３の互いに対向する内面にそれぞれ前記表示エリア２１ａ内にその全域にわたって行方向及び列方向にマトリックス状に配列する複数の画素を形成する透明電極２５，２６が形成され、これらの基板２２，２３間の前記シール材２４で囲まれた領域に液晶層２９を設けた構成となっている。
【００４９】
この液晶表示パネル２１は、一方の基板２２の内面に、複数の画素電極２５と、これらの画素電極２５にそれぞれ対応する複数のＴＦＴ（薄膜トランジスタ）２７とをマトリックス状に配列形成し、他方の基板２３の内面に表示エリア２１ａの全域にわたる一枚膜状の対向電極２６を形成したアクティブマトリックス液晶表示パネルであり、前記複数の画素電極２５はそれぞれ、その画素電極２５に対応するＴＦＴ２７に接続されている。
【００５０】
なお、図８では前記ＴＦＴ２７を簡略化して示しているが、このＴＦＴ２７は、前記一方の基板２２の基板面上に形成されたゲート電極と、このゲート電極を覆って前記表示エリア２１ａの全域に形成された透明なゲート絶縁膜と、このゲート絶縁膜の上に前記ゲート電極と対向させて形成されたｉ型半導体膜と、このｉ型半導体膜の両側部の上にそれぞれｎ型半導体膜を介して積層形成されたソース電極及びドレイン電極とからなっており、そのゲート電極は、前記基板面上に各画素電極行にそれぞれ沿わせて形成された図示しないゲート配線に接続され、ドレイン電極は、前記ゲート絶縁膜の上に各画素電極列にそれぞれ沿わせて形成された図示しないデータ配線に接続されている。そして、前記画素電極２５は、前記ゲート絶縁膜の上に形成され、前記ＴＦＴ２７のソース電極に接続されている。
【００５１】
また、この液晶表示パネル２１は、前記他方の基板２３の内面に、前記複数の画素にそれぞれ対応する赤、緑、青の３色のカラーフィルタ２８Ｒ，２８Ｇ，２８Ｂを設けたカラー画像表示素子であり、前記対向電極２６は、前記カラーフィルタ２８Ｒ，２８Ｇ，２８Ｂの上に形成されている。
【００５２】
さらに、この液晶表示パネル２１は、前記液晶層２９の液晶分子を一対の基板２２，２３間においてツイスト配向させたＴＮ（ツイステッドネマティック）型液晶表示素子または前記液晶分子を分子長軸を一方向に揃えてホモジニアス配向させたホモジニアス配向型のものであり、前記一対の基板２２，２３の内面にそれぞれ前記電極２５，２６を覆って、液晶分子を前記配向状態に配向させるための配向膜（図示せず）が設けられるとともに、これらの基板２２，２３の外面にそれぞれ偏光板３０，３１が、その透過軸を所定の方向に向けて貼付けられている。
【００５３】
また、この液晶表示パネル２１は、前記表示エリア２１ａを囲む外周部のうち、前記表示エリア２１ａの上縁側の部分に、外方に突出する張出し部２２ａを有しており、この張出し部２２ａは、前記複数の画素電極２５及びＴＦＴ２７を形成した一方の基板２２の表示エリア２１ａの上縁側の縁部を他方の基板２３の外方に突出させて形成されている。
【００５４】
そして、前記張出し部２２ａには、前記カメラ本体１の後面のモニタ窓８とファインダ接眼窓５との位置関係に対応した所定の部分に、前記カメラ本体１の後面のファインダ接眼窓５よりも大きい面積を有する透明部２２ｂが形成されており、この張出し部２１ａの他の部分に表示駆動素子３５，３６が搭載されている。
【００５５】
この実施例では、図２のように、前記モニタ窓８が前記ファインダ接眼窓５の一側部の上方に位置しており、したがって、前記透明部２２ｂは、前記張出し部２２ａのうちの前記表示エリア２１ａの一側部の上方の部分に形成されている。
【００５６】
なお、前記液晶表示パネル２１の一対の基板２２，２３はいずれも透明基板であるため、その一方の基板２２に形成された張出し部２２ａも透明であり、したがって前記透明部２２ｂは、前記張出し部２２ａの所定部分をそのまま利用して形成することができる。
【００５７】
また、前記表示駆動素子３５，３６のうち、一方の表示駆動素子３５は、前記一方の基板２２に形成された図示しない複数のゲート配線にゲート信号（走査信号）を供給する走査駆動素子、他方の表示駆動素子３６は、前記一方の基板２２に形成された図示しない複数のデータ配線に画像データ信号を供給するデータ書込み駆動素子であり、いずれも、前記張出し部２２ａに対向する面の一側縁と他側縁とに複数の入力側端子と出力側端子とが配列形成されたＬＳＩからなっている。
【００５８】
そして、前記張出し部２２ａには、前記複数のゲート配線の一端から前記走査駆動素子３５の搭載部に導出された複数の駆動素子接続リード３２と、前記複数のデータ配線の一端から前記表示エリア２１ａの側方を迂回させて前記データ書込み駆動素子３６の搭載部に導出された複数の駆動素子接続リード３３と、前記両方の駆動素子３５，３６の搭載部から張出し部２２ａの端縁に導出された複数の外部回路接続リード３４とが形成されており、前記走査駆動素子３５とデータ書込み駆動素子３６はそれぞれ、その複数の入力側端子を前記外部回路接続リード３４に接続し、複数の出力側端子を前記駆動素子接続リード３２，３３に接続して前記張出し部２２ａに搭載されている。
【００５９】
また、前記張出し部２２ａの端縁部には、前記複数の外部回路接続リード３４にそれぞれ対応する複数の配線（図示せず）が形成されたフィルム状ケーブル３７の一端が接続されている。
【００６０】
一方、画像表示装置２０のパネルケース３８は、図３〜図６に示したように、前記液晶表示パネル２１の前記張出し部２２ａを含む外形よりも僅かに大きい薄型金属ケースであり、その一方の面に、前記液晶表示パネル２１の表示エリア２１ａに対応する表示用開口３９が設けられ、他方の面に前記液晶表示パネル２１の表示エリア２１ａに対応する照明用開口４０が設けられるとともに、前記一方の面と他方の面に、前記液晶表示パネル２１の張出し部２２ａに形成された前記透明部２２ｂに対応するファインダ用開口４１，４２が設けられている。なお、このパネルケース３８の表示用開口３９及び照明用開口４０は、前記液晶表示パネル２１の表示エリア２１ａよりも僅かに大きく形成されている。
【００６１】
そして、前記液晶表示パネル２１は、前記パネルケース３８内に、前記表示エリア２１ａを前記表示用開口３９及び照明用開口４０に対向させ、前記張出し部２２ａの透明部２２ｂを前記ファインダ用開口４１，４２に対向させるとともに、前記張出し部２２ａに接続されたフィルム状ケーブル３７をパネルケース３８外に引き出して収容されている。
【００６２】
前記液晶表示パネル２１を前記パネルケース３８内に収容した画像表示装置２０は、図３に示したように、前記カメラ本体１内の固体撮像素子１４よりも後側のスペースに、前記液晶表示パネル２１の表示エリア２１ａを前記パネルケース３８の一方の面の表示用開口３９を介して前記モニタ窓８に対向させ、前記液晶表示パネル２１の前記張出し部２２ａのうち、前記表示駆動素子３５，３６の搭載部分を前記ファインダ接眼窓５の側方のスペースに対応させ、前記張出し部２２ａの透明部２２ｂを前記パネルケース３８の一方の面のファインダ用開口４１を介して前記ファインダ接眼窓５に対向させるとともに、前記パネルケース３８の他方の面、つまり前記固体撮像素子１４の配置側に対向するケース面のファインダ用開口４２に前記ファインダ光学系１５の接眼窓対向端を入り込ませ、その接眼窓対向端（接眼レンズ素子１６の端面）に前記液晶表示パネル２１の張出し部２２ａの透明部２２ｂを近接または当接させて配置されている。
【００６３】
なお、この実施例では、前記画像表示装置２０を、前記パネルケース３８内に前記液晶表示パネル２１を、その張出し部２２ａを形成した一方の基板２２の外面を前記照明用開口４０を形成したケース面に対向させ、他方の基板２３の外面を前記表示用開口３９を形成したケース面に対向させて収容した構成とし、前記ファインダ光学系１５の接眼窓対向端を、前記液晶表示パネル２１の張出し部２２ａの透明部２２ｂに、前記張出し部２２ａを形成した前記一方の基板２２の外面側から近接または当接させている。
【００６４】
また、前記カメラ本体１の後面のモニタ窓８に嵌着されたモニタ窓カバー板９の枠状遮光マスク９ａは、その内周縁が前記液晶表示パネル２１の表示エリア２１ａの外周縁に略一致するように形成されており、前記画像表示装置２０は、前記液晶表示パネル２１の表示エリア２１ａを前記モニタ窓カバー板９の枠状遮光マスク９ａにより囲まれたモニタ画面領域に対応させて前記カメラ本体１内に配置されている。
【００６５】
さらに、前記カメラ本体１内には、前記画像表示装置２０と前記固体撮像素子１４の配置部との間に、前記画像表示装置２０のパネルケース３８の照明用開口４０に対向させて、前記液晶表示パネル２１の表示エリア２１ａに向けて照明光を出射する面光源４３が配置されている。
【００６６】
また、図３では省略しているが、前記カメラ本体１内には、撮像制御回路、画像データ処理回路、モニタ画像データ出力回路等が設けられており、前記画像表示装置２０の液晶表示パネル２１の張出し部２２ａに一端を接続されて前記パネルケース３８外に引き出されたフィルム状ケーブル３７は、前記モニタ画像データ出力回路に接続されている。
【００６７】
このデジタルカメラは、前面側に撮像レンズ２を備え、前後面の上端付近にファインダ対物窓４とファインダ接眼窓５が設けられ、後面の前記ファインダ接眼窓の下側の部分にモニタ窓８が設けられたカメラ本体１内に、前記撮像レンズ２の後端に対向させて配置された固体撮像素子１４と、一端を前記ファインダ対物窓４に対向させ、他端を前記ファインダ接眼窓５に対向させて配置されたファインダ光学系１５とを設けるとともに、前記カメラ本体１内の前記固体撮像素子１４よりも後側のスペースに、前記液晶表示パネル２１を備えた画像表示装置２０を、前記液晶表示パネル２１の表示エリア２１ａを前記モニタ窓８に対向させ、前記液晶表示パネル２１の張出し部２２ａのうち、表示駆動素子３５，３６の搭載部分を前記ファインダ接眼窓５の側方のスペースに対応させ、透明部２２ｂを前記ファインダ接眼窓５に対向させて配置したものであるため、固定モニタ型デジタルカメラでありながら、モニタ画面を大きくし、モニタ部の表示画像を見やすくすることができる。
【００６８】
すなわち、前記画像表示装置２０は、表示エリア２１ａを囲む枠状シール材２４を介して接合された一対の透明基板２２，２３の互いに対向する内面にそれぞれ前記表示エリア２１ａ内にマトリックス状に配列する複数の画素を形成する電極２５，２６が形成され、これらの基板２２，２３間の前記シール材２４で囲まれた領域に液晶層２９が設けられるとともに、一方の基板２２の前記表示エリア２１ａの上縁側の縁部に、他方の基板２３の外方に突出する張出し部２２ａが形成され、この張出し部２２ａの所定の部分に透明部２２ｂが形成され、前記張出し部２２ａの他の部分に表示駆動素子３５，３６が搭載された液晶表示パネル２１を備えたものであるため、デジタルカメラ内に、前記液晶表示パネル２１の張出し部２２ａのうち、前記表示駆動素子３５，３６の搭載部分を前記デジタルカメラの光学ファインダ部の側方のスペースに対応させ、前記透明部２２ｂを前記光学ファインダ部に対応させて実装することができる。
【００６９】
そのため、この画像表示装置２０は、前記液晶表示パネル２１の外形を、その表示エリア２１ａの縦幅（表示エリアの上下縁間の幅）がカメラ本体１の光学ファインダ部の下側のスペースの高さ内に収まる範囲で大きくすることができ、したがって、前記液晶表示パネル２１の表示エリア２１ａと前記カメラ本体１の後面のモニタ窓８とを大きくし、固定モニタ型デジタルカメラのモニタ画面を大きくすることができる。
【００７０】
なお、上述したように、カメラ本体１の左右方向の幅が８７ｍｍ、高さが５７ｍｍである場合、画像表示装置全体を光学ファインダ部の下側に配置した従来の固定モニタ型デジタルカメラのモニタ画面は、対角線長さが５．０８ｍｍの２型画面が限界であったが、上記実施例の固定モニタ型デジタルカメラによれば、モニタ画面を、対角線長さが６．３５ｍｍの２．５型画面にすることができる。
【００７１】
また、上記実施例のデジタルカメラは、前記画像表示装置２０を、前記液晶表示パネル２１と、内部に前記液晶表示パネル２１を収容し、且つ一方の面に前記液晶表示パネル２１の表示エリア２１ａに対応する表示用開口３９が設けられ、前記一方の面と他方の面に前記液晶表示パネル２１の張出し部２２ａに形成された透明部２２ｂに対応するファインダ用開口４１，４２が設けられたパネルケース３８とにより構成しているため、前記カメラ本体１内への前記画像表示装置２０の実装を容易にすることができる。
【００７２】
そして、上記実施例では、前記画像表示装置２０を、前記カメラ本体１内に、前記固体撮像素子１４の配置側に対向するケース面のファインダ用開口４２に前記ファインダ光学系１５の接眼窓対向端を入り込ませて配置しているため、前記パネルケース３８内に液晶表示パネル２１を収容した画像表示装置２０を備えたものでありながら、デジタルカメラの前後面間の厚さを薄くすることができる。
【００７３】
さらに、上記実施例では、前記画像表示装置２０を、前記カメラ本体１内に、前記液晶表示パネル２１の張出し部２２ａの透明部２２ｂを前記ファインダ光学系１５の接眼窓対向端に近接または当接させて配置しているため、デジタルカメラの前後面間の厚さをさらに薄くすることができる。
【００７４】
図９はこの発明の第２の実施例を示すデジタルカメラの断面図であり、この実施例は、画像表示装置２０の液晶表示パネル２１の向きを上述した第１の実施例とは逆にしたものである。
【００７５】
すなわち、この実施例のデジタルカメラは、画像表示装置２０を、パネルケース３８内に液晶表示パネル２１を、その張出し部２２ａを形成した一方の基板２２の外面を表示用開口３９を形成したケース面に対向させ、他方の基板２３の外面を照明用開口４０を形成したケース面に対向させて収容した構成としたものであり、前記液晶表示パネル２１の張出し部２２ａの透明部２２ｂは、前記パネルケース３８のファインダ用開口４１，４２に対応する部分に形成されている。
【００７６】
そして、この実施例では、前記画像表示装置２０を、カメラ本体１内に、前記液晶表示パネル２１の張出し部２２ａが形成された一方の基板２２をカメラ本体１の後面側に向け、他方の基板２３を固体撮像素子１４の配置側に向けるとともに、前記張出し部２２ａの透明部２２ｂをファインダ光学系１５の接眼窓対向端に近接または当接させて配置している。
【００７７】
なお、この実施例のデジタルカメラの他の部分は第１の実施例と同じであるから、重複する説明は図に同符号を付して省略する。
【００７８】
この実施例のデジタルカメラは、このような構成であるため、デジタルカメラの前後面間の厚さを、上記第１の実施例よりも、前記液晶表示パネル２１の他方の基板２３の厚さ分だけ薄くすることができる。
【００７９】
図１０及び図１１はこの発明の第３の実施例を示しており、図１０はデジタルカメラの断面図、図１１は画像表示装置の液晶表示パネルの正面図である。
【００８０】
この実施例は、画像表示装置２０の液晶表示パネル２１を、図１１のように、その張出し部２２ａの所定部分に切欠部２２ｃを形成した構成とし、この液晶表示パネル２１をパネルケース３８内に収容した画像表示装置２０を、図１０のように、カメラ本体１内に、ファインダ光学系１５の接眼窓対向端を、前記パネルケース３８の固体撮像素子１４の配置側に対向するケース面のファインダ用開口４２から前記液晶表示パネル２１の前記切欠部２２ｃに入り込ませて配置し、前記ファインダ光学系１５の接眼窓対向端を、前記パネルケース３８の反対面のファインダ用開口４１を介してカメラ本体１の後面のファインダ接眼窓５に近接または当接させたものである。
【００８１】
なお、この実施例のデジタルカメラの他の部分は上述した第１の実施例と同じであるから、重複する説明は図に同符号を付して省略する。
【００８２】
この実施例のデジタルカメラは、画像表示装置２０に、張出し部２２ａの所定部分に切欠部２２ｃを形成した液晶表示パネル２１を備えさせ、この画像表示装置２０を、カメラ本体１内に、前記液晶表示パネル２１の前記切欠部２２ｃにファインダ光学系１５の接眼窓対向端を入り込ませて配置したものであるため、デジタルカメラの前後面間の厚さをさらに薄くすることができる。
【００８３】
図１２〜図１６はこの発明の第４の実施例を示しており、図１２はデジタルカメラの後面図、図１３はカメラ本体の後面に設けられたファインダ接眼窓及びモニタ窓の形状を示す図、図１４は図１２のXIV―XIV線に沿った拡大断面図、図１５及び図１６は画像表示装置の正面図及び背面図である。
【００８４】
この実施例のデジタルカメラは、カメラ本体１の後面のファインダ接眼窓５を、前記カメラ本体１の後面に設けたモニタ窓８に連通させて形成することにより、前記モニタ窓８の位置をファインダ接眼窓５に近付け、前記モニタ窓８及びファインダ接眼窓５に、連続した１枚の透明板からなり、前記モニタ窓８に対応する部分に前記モニタ窓８の内周縁に沿った枠状の遮光マスク１０ａが形成されたカバー板１０を嵌着するとともに、前記ファインダ接眼窓５の外側に、このファインダ接眼窓５を囲む窓枠部材７を設けたものであり、この実施例では、前記モニタ窓８を、そのファインダ接眼窓側の縁部である上縁を前記ファインダ接眼窓５の前記モニタ窓８側の縁部である下縁の延長線に略一致させて形成し、前記ファインダ接眼窓５の外側に、前記モニタ窓８側の縁部が前記カバー板１０の遮光マスク１０ａ部の幅内に対向する外形の窓枠部材７を設けている。
【００８５】
また、この実施例では、画像表示装置２０のパネルケース３８を、その一方の面のファインダ用開口４１を、この一方の面の表示用開口３９に連通させて形成するとともに、他方の面のファインダ用開口４２を、この他方の面の照明用開口４０に連通させて形成することにより、前記表示用開口３９及び照明用開口４０の位置を前記ファインダ用開口４１，４２に近付けている。
【００８６】
なお、この実施例のデジタルカメラは、前記画像表示装置２０に、張出し部２２ａの所定の部分に透明部２２ｂを形成した液晶表示パネル２１を備えさせたものであり、この液晶表示パネル２１及びパネルケース３８の他の部分の構成は上述した第１の実施例と同じであり、また、カメラ本体１の他の部分の構成も第１の実施例と同じであるから、重複する説明は図に同符号を付して省略する。
【００８７】
このデジタルカメラは、カメラ本体１の後面のファインダ接眼窓５を、前記カメラ本体１の後面に設けたモニタ窓８に連通させて形成し、前記モニタ窓８及びファインダ接眼窓５に、連続した１枚の透明板からなり、前記モニタ窓８に対応する部分に前記モニタ窓８の内周縁に沿った枠状の遮光マスク１０ａが形成されたカバー板１０を嵌着しているため、前記モニタ窓８及びファインダ接眼窓５への前記カバー板１０の嵌着を１工程で容易に行なうことができるとともに、前記ファインダ接眼窓５及びモニタ窓８の外観をそれぞれ、前記窓枠部材及び前記カバー板の遮光マスク１０ａ部により囲まれた良好なデザインにすることができる。
【００８８】
しかも、この実施例では、前記モニタ窓８を、そのファインダ接眼窓側の縁部（上縁）を前記ファインダ接眼窓５の前記モニタ窓８側の縁部（下縁）の延長線に略一致させて形成し、前記ファインダ接眼窓５の外側に、前記モニタ窓８側の縁部が前記カバー板１０の遮光マスク１０ａ部の幅内に対向する外形の窓枠部材７を設けているため、デジタルカメラの高さを小さくするか、あるいは前記モニタ窓８及び前記画像表示装置２０の液晶表示パネル２１を大きくしてモニタ画面をさらに大きくするとともに、前記モニタ窓８内に、前記ファインダ接眼窓５の窓枠部材７による欠け落ちの無い良好な画像を表示することができる。
【００８９】
なお、この実施例のデジタルカメラは、前記画像表示装置２０に、張出し部２２ａの所定の部分に透明部２２ｂを形成した液晶表示パネル２１を備えさせたものであるが、上述した第３の実施例と同様に、前記画像表示装置２０に、張出し部２２ａの所定の部分に図１１のような切欠部２２ｃを形成した液晶表示パネル２１を備えさせ、この画像表示装置２０をカメラ本体１内に、前記液晶表示パネル２１の前記切欠部２２ｃにファインダ光学系１５の接眼窓対向端を入り込ませて配置してもよい。
【００９０】
また、上述した第１〜第４の各実施例では、画像表示装置２０を、パネルケース３８内に液晶表示パネル２１を収容した構成としているが、前記画像表示装置２０に前記液晶表示パネル２１だけを備えさせ、前記パネルケース３８を省略してもよい。
【００９１】
さらに、上記各実施例では、カメラ本体１の後面のファインダ接眼窓５の下側の部分にモニタ窓８を設け、カメラ本体１内に、複数の画素電極２５及びＴＦＴ２７を形成した一方の基板２２の上側（表示エリア２１ａの上縁側）に張出し部２２ａを形成し、この張出し部２２ａの所定の部分に透明部２２ｂまたは切欠部２２ｃを形成し、前記張出し部２２ａの他の部分に表示駆動素子３５，３６を搭載した液晶表示パネル２１を、前記張出し部２２ａのうち、前記表示駆動素子３５，３６の搭載部分を前記ファインダ接眼窓５の側方のスペースに対応させ、前記透明部２２ｂまたは切欠部２２ｃを前記ファインダ接眼窓５に対向させて配置しているが、カメラ本体を、その後面のファインダ接眼窓の左右いずれかの側の部分に、モニタ窓を、その上端側の部分を前記ファインダ接眼窓と隣接させて設けた構成とし、このカメラ本体内に、表示エリアを囲む外周部のうち、前記表示エリアの左右いずれかの側の部分に外方に突出する張出し部が設けられ、この張出し部の所定の部分に透明部または切欠部が形成され、前記張出し部の他の部分に表示駆動素子が搭載された液晶表示パネルを、その張出し部のうち、前記表示駆動素子の搭載部分を前記ファインダ接眼窓の下側のスペースに対応させ、前記透明部または切欠部を前記ファインダ接眼窓に対向させて配置してもよく、その場合も、モニタ画面を大きくし、モニタ部の表示画像を見やすくすることができる。
【００９２】
また、前記液晶表示パネルは、その表示エリアの上縁側または左右いずれかの側に張出し部を形成したものに限らず、前記表示エリアの上縁側と左右いずれかの側との両方に張出し部を形成してこれらの張出し部にそれぞれ表示駆動素子を搭載したものでもよく、その場合は、いずれかの張出し部の所定部分にデジタルカメラの光学ファインダ部に対応する透明部または切欠部を形成すればよい。
【００９３】
さらに、前記画像表示装置２０の表示パネルは、液晶表示パネルに限らず、複数の画素がマトリックス状に配列した表示エリアを有し、前記表示エリアを囲む外周部の少なくとも一側に外方に突出する張出し部が設けられ、この張出し部の所定の部分に透明部または切欠部が形成され、前記張出し部の他の部分に表示駆動素子が搭載されたものであれば、例えばＥＬ（エレクトロルミネッセンス）表示パネル等でもよく、前記表示パネルをＥＬ表示パネル等の自発光型素子とする場合は、上記各実施例における面光源４３は不要である。
【００９４】
また、上記各実施例のデジタルカメラは、撮像レンズ格納型のものであるが、この発明は、カメラ本体の前面に撮像レンズを突出させて設けたデジタルカメラにも適用することができる。
【図面の簡単な説明】
【００９５】
【図１】この発明の第１の実施例のデジタルカメラの前面図。
【図２】第１の実施例のデジタルカメラの後面図。
【図３】図１のIII―III線に沿った拡大断面図。
【図４】第１の実施例の画像表示装置の正面図。
【図５】第１の実施例の画像表示装置の背面図。
【図６】第１の実施例の画像表示装置の拡大断面図。
【図７】第１の実施例の画像表示装置の液晶表示パネルの正面図。
【図８】液晶表示パネルの一部分の拡大断面図
【図９】この発明の第２の実施例のデジタルカメラの断面図。
【図１０】この発明の第３の実施例のデジタルカメラの断面図。
【図１１】第３の実施例の画像表示装置の液晶表示パネルの正面図。
【図１２】この発明の第４の実施例のデジタルカメラの後面図。
【図１３】第４の実施例におけるデジタルカメラのカメラ本体の後面に設けられたファインダ接眼窓及びモニタ窓の形状を示す図。
【図１４】図１２のXIV―XIV線に沿った拡大断面図。
【図１５】第４の実施例の画像表示装置の正面図。
【図１６】第４の実施例の画像表示装置の背面図。
【符号の説明】
【００９６】
１…カメラ本体、２…撮像レンズ、３…ファインダ対物窓、４…カバー板、５…ファインダ接眼窓、６…カバー板、７…窓枠部材、８…モニタ窓、９，１０…カバー板、９ａ，１０ａ…遮光マスク、１４…固体撮像素子、１５…ファインダ光学系、１６…接眼レンズ素子、２０…画像表示装置、２１…液晶表示パネル、２１ａ…表示エリア、２２，２３…透明基板、２２ａ…張出し部、２２ｂ…透明部、２２ｃ…切欠部、２４…シール材、２５…画素電極，２６…対向電極、２７…ＴＦＴ、２８Ｒ，２８Ｇ，２８Ｂ…カラーフィルタ、２９…液晶層、３０，３１…偏光板、３５，３６…表示駆動素子、３８…パネルケース、３９…表示用開口、４０…照明用開口、４１，４２…ファインダ用開口、４３…面光源。
【図１】
2006013865.tif 000003
【図２】
2006013865.tif 000004
【図３】
2006013865.tif 000005
【図４】
2006013865.tif 000006
【図５】
2006013865.tif 000007
【図６】
2006013865.tif 000008
【図７】
2006013865.tif 000009
【図８】
2006013865.tif 000010
【図９】
2006013865.tif 000011
【図１０】
2006013865.tif 000012
【図１１】
2006013865.tif 000013
【図１２】
2006013865.tif 000014
【図１３】
2006013865.tif 000015
【図１４】
2006013865.tif 000016
【図１５】
2006013865.tif 000017
【図１６】
2006013865.tif 000018